(57)【特許請求の範囲】
【請求項１】
処理した手袋であって、
硬化したラテックス手袋および該硬化したラテックス手袋の内部表面に吸湿性フィルムを含有し、
該吸湿性フィルムが水、グリセロールおよび植物抽出物を含み、該水が約３０ｍｇから約９０ｍｇの範囲の量で存在する、
処理した手袋。
【請求項２】
植物抽出物が、カモミール、アロエベラ、ホホバ、アロエバルファデニス抽出物、トケイソウ抽出物、キュウリ抽出物、ヒレハリソウ葉抽出物、サボンソウ、オフィシナリス抽出物、ミルラ抽出物、ユーカリ抽出物、海藻抽出物およびそれらの組み合わせからなる群より選ばれる、請求項１に記載の処理した手袋。
【請求項３】
植物抽出物がカモミールである、請求項２に記載の処理した手袋。
【請求項４】
植物抽出物がアロエベラである、請求項２に記載の処理した手袋。
【請求項５】
植物抽出物がアロエベラおよびカモミールの抽出物の組み合わせである、請求項２に記載の処理した手袋。
【請求項６】
硬化したラテックス手袋が、天然ゴムラテックス、アクリロニトリル、ポリ塩化ビニル、ポリクロロプレン、ポリイソプレン、カルボキシル化ニトリル、ポリウレタン、スチレン−ブタジエンまたは天然ゴムラテックスと合成ラテックスとの混合物を含む、請求項１に記載の処理した手袋。
【請求項７】
吸湿性フィルムが、増粘剤、ブロッキング防止ワックス、湿潤剤、香料、保存料、またはそれらの組み合わせをさらに含む、請求項１に記載の処理した手袋。
【請求項８】
増粘剤が、カルボキシメチルセルロース、ヒドロキシエチルセルロース、および多糖ガムからなる群より選ばれる、請求項７に記載の処理した手袋。
【請求項９】
ブロッキング防止ワックスがポリプロピレンワックスである、請求項７に記載の処理した手袋。
【請求項１０】
湿潤剤がノニルフェノールエトキシレートまたは脂肪アルコールエトキシレートである、請求項７に記載の処理した手袋。
【請求項１１】
香料が、バニラ、ライラック、ジャスミン、バラ、レモンフローラル、いちご、クチナシ、りんごスパイス、バナナ、かぼちゃスパイス、カーネーション、ハニーキウイ、タンジェリン、マンダリン、ペパーミント、マンゴー、すみれ、イランイラン、カシス、ベルガモット、グレープフルーツ、ローズマリー、およびそれらの組み合わせからなる群より選ばれる、請求項７に記載の処理した手袋。
【請求項１２】
保存料がクエン酸と安息香酸塩との組み合わせである、請求項７に記載の処理した手袋。
【請求項１３】
吸湿性フィルムを手袋の内部表面に適用する方法であって、
（ａ）硬化したラテックス手袋を水洗すること、
（ｂ）工程（ａ）の水洗した手袋を回転式乾燥機中にて、約４８〜約５５℃の温度で乾燥すること、
（ｃ）水洗した手袋が乾燥されながらも部分的に湿っている間に、水、保湿剤および植物抽出物を含む溶液を、回転式乾燥機の中に噴霧すること、並びに
（ｄ）洗浄した手袋の内部表面上に、約３０ｍｇから約９０ｍｇの範囲の量で存在する該水、該保湿剤および該植物抽出物を含む吸湿性フィルムが形成するまで、手袋を乾燥すること
を含む、方法。
【請求項１４】
保湿剤がグリセロールを含む、請求項１３に記載の方法。
【請求項１５】
植物抽出物が、カモミール、アロエベラ、ホホバ、アロエバルファデニス抽出物、トケイソウ抽出物、キュウリ抽出物、ヒレハリソウ葉抽出物、サボンソウ、オフィシナリス抽出物、ミルラ抽出物、ユーカリ抽出物、海藻抽出物およびそれらの組み合わせからなる群より選ばれる、請求項１３に記載の方法。
【請求項１６】
植物抽出物がカモミールである、請求項１５に記載の方法。
【請求項１７】
植物抽出物がアロエベラである、請求項１５に記載の方法。
【請求項１８】
植物抽出物がアロエベラおよびカモミールの抽出物との組み合わせである、請求項１５に記載の方法。
【請求項１９】
水が、溶液の全体重量に基づいて約８５〜約９５ｗｔ％の範囲の量で溶液中に存在する、請求項１３に記載の方法。
【請求項２０】
グリセロールが、溶液の全体重量に基づいて約１〜約７ｗｔ％の範囲の量で溶液中に存在する、請求項１４に記載の方法。
【請求項２１】
植物抽出物がカモミールであり、カモミールが、溶液の全体重量に基づいて約０．０５〜約０．５ｗｔ％の範囲の量で溶液中に存在する、請求項１３に記載の方法。
【請求項２２】
溶液が、増粘剤、ブロッキング防止ワックス、湿潤剤、香料および保存料をさらに含む、請求項１３に記載の方法。
【請求項２３】
増粘剤が、溶液の全体重量に基づいて約０．１〜約０．３ｗｔ％の範囲の量で溶液中に存在する、請求項２２に記載の方法。
【請求項２４】
ブロッキング防止ワックスが、溶液の全体重量に基づいて約２〜約５ｗｔ％の範囲の量で溶液中に存在する、請求項２２に記載の方法。
【請求項２５】
湿潤剤が、溶液の全体重量に基づいて約０．３〜約０．９ｗｔ％の範囲の量で溶液中に存在する、請求項２２に記載の方法。
【請求項２６】
香料が、溶液の全体重量に基づいて約２〜約８ｗｔ％の範囲の量で存在する、請求項２２に記載の方法。
【請求項２７】
ヒトの手に潤いを与えるための処理した手袋であって、
硬化したラテックス手袋および該硬化したラテックス手袋の内部表面に吸湿性フィルムを含有し、
該吸湿性フィルムが水、グリセロールおよび植物抽出物を含み、該水が約３０ｍｇから約９０ｍｇの範囲の量で存在する、
処理した手袋。
【請求項２８】
植物抽出物がカモミールである、請求項２７に記載の処理した手袋。
【請求項２９】
植物抽出物がアロエベラである、請求項２７に記載の処理した手袋。
【請求項３０】
植物抽出物がカモミールとアロエベラとの組み合わせである、請求項２７に記載の処理した手袋。
【請求項３１】
吸湿性フィルムを手袋の内部および外部表面に適用する方法であって、
（ａ）硬化したラテックス手袋を水洗すること、
（ｂ）工程（ａ）の水洗した手袋を回転式乾燥機中にて、約４８〜約５５℃の温度で乾燥すること、
（ｃ）水洗した手袋が乾燥されながらも部分的に湿っている間に、水、保湿剤および植物抽出物を含む溶液を、回転式乾燥機の中に噴霧すること、
（ｄ）水洗した手袋の外部表面に水性シリコーンエマルジョンを噴霧すること、並びに
（ｅ）手袋の内部表面上に約３０ｍｇから約９０ｍｇの範囲の量で存在する該水、該保湿剤および該植物抽出物を含む吸湿性フィルムが形成され、かつ、外部表面上にシリコーン被膜が形成されるまで、手袋を乾燥すること
を含む、方法。
【請求項３２】
保湿剤がグリセロールを含み、溶液が、増粘剤、ブロッキング防止ワックス、湿潤剤、香料、保存料および別噴霧の水性シリコーンエマルジョンをさらに含む、請求項３１に記載の方法。
【請求項３３】
水性シリコーンエマルジョンが、溶液の全体重量に基づいて約０．５〜約４．０ｗｔ％の範囲の量で溶液中に存在する、請求項３２に記載の方法。
【請求項３４】
水性シリコーンエマルジョンが、約１．０〜約２．０ｗｔ％の範囲の量で存在する、請求項３３に記載の方法。
【請求項３５】
処理した手袋であって、
硬化したラテックス手袋および該硬化したラテックス手袋の内部表面に吸湿性フィルムを含有し、
該吸湿性フィルムが約３０ｍｇから約９０ｍｇの範囲の量で存在する水、保湿剤および植物抽出物を含む、
処理した手袋。
【請求項３６】
植物抽出物がアロエベラである、請求項３５に記載の手袋。
【請求項３７】
植物抽出物がカモミールである、請求項３５に記載の手袋。
【発明の詳細な説明】
【技術分野】
【０００１】
発明の分野
本発明は、水、グリセロールおよび植物抽出物を含有する組成物で処理された使い捨て手袋、および該組成物を手袋の内部表面に適用するためのプロセスに関する。
【背景技術】
【０００２】
発明の背景
使い捨て手袋は、手を微生物や刺激物から防護するための保護手段として広く用いられている。多くの就業者、とりわけヘルスケア、化学薬品や食品を取り扱う業界で働いている人たちは、有害な微生物や刺激物からの防護バリアを提供する使い捨て手袋に頼っている。加えて、バイオテロにさらされる恐れが高まったため、多くの人が極めて有害な微生物から自分を守るために使い捨て手袋を着用するようになってきた。その結果、より多くの人が、今までよりもずっと長時間使い捨て手袋を着用している。
【０００３】
通常、使い捨て手袋は、ラテックスおよびビニール材で作られ、これらはヒトの肌を乾燥させ刺激する傾向がある。使い捨て手袋の使用が増えるにつれ、心地よく着用でき、かつ着用者の手を乾燥したり刺激したりしない使い捨て手袋を提供する必要が出てきている。
【０００４】
多くの植物抽出物が、乾燥して刺激された肌をやわらかくしたり、軽減したりすることが知見されてきた。アロエベラはアロエ植物からの周知の抽出物である。一般的にアロエベラはその治癒、冷却、保湿効果のため、火傷を治療するために用いられている。また、カモミールも一般的にお茶に用いられる周知のハーブであるが、局所的に塗布された場合に抗炎症性を示すことが知見されてきた。
【０００５】
特許文献１は、脱水されたアロエベラのフィルムを手袋の内部表面に含む使い捨て手袋に関する。この特許は、アロエベラの溶液を手袋の内部表面に適用すること、次いで水が脱水されるまで手袋を加熱し、脱水されたアロエベラのフィルムを手袋の内部表面に残すこと、について記載している。水が完全に脱水されているため、手袋の内部表面はいずれの有意量の水分も含有していない。水分がないため、脱水されたアロエベラは粉末として剥がれ、それによりいずれの保湿効果も最小になる。
その他の関連する先行技術文献として、下記特許文献２〜９が挙げられる。
【特許文献１】米国特許第６，２７４，１５４号
【特許文献２】米国特許第６，１５３，２０９号
【特許文献３】米国特許第６，１１７，１１９号
【特許文献４】米国特許第５，９４５，４０９号
【特許文献５】米国特許第５，６１４，２０２号
【特許文献６】米国特許第６，１６８，７９８号
【特許文献７】米国特許第４，８２０，５０８号
【特許文献８】米国特許第５，０１９，０９６号
【特許文献９】国際公開第９４／１２１１５号パンフレット
【０００６】
本発明は、着用しても肌を刺激せずに肌に潤いを与える手袋を提供するという現在の必要性を満たすものである。
【発明の開示】
【０００７】
発明の要旨
本発明は手袋に関するものであり、ここで、該手袋の内部表面は、水、グリセロールおよび植物抽出物を含むフィルムを含有し、水は１手袋につき約３０ｍｇ〜約９０ｍｇの範囲の量で存在する。
【０００８】
本発明のもう１つの実施態様は手袋の内部表面にフィルムを適用する方法に関し、該方法は、硬化した（cured）手袋を洗浄すること、洗浄した手袋を回転式乾燥機中にて、約５０〜約５５℃の温度で乾燥すること、洗浄した手袋が乾燥されながらも部分的に湿っている間に、溶液を回転式乾燥機の中に噴霧すること、洗浄した手袋の内部表面上にフィルムが形成するまで、洗浄した手袋を乾燥することを含む。
【０００９】
本発明のさらなる実施態様は、水、グリセロール、カモミール、増粘剤、ブロッキング防止ワックス、湿潤剤、香料、シリコーンエマルジョン、および保存料を含有する組成物に関する。
【発明を実施するための最良の形態】
【００１０】
発明の詳細な説明
本発明は、手袋の内部表面にフィルムを有する手袋を提供する。フィルムは、未処理の手袋に、水、グリセロールおよび植物抽出物を含有する組成物を、回転式乾燥機で乾燥している間に噴霧することによって形成される。手袋が回転乾燥機中で回転しているので、その回転メカニズムによって、手袋が部分的に湿っている時に、組成物が手袋の中に入り込む。手袋の表面からの水は組成物のための担体として作用し、組成物が手袋の内部表面全体にフィルムを形成できるようにする。しかしながら、手袋はさらに回転乾燥機の中で乾燥され、その結果得られる内部表面は手触りがしっとりしている。本発明の実施態様は、処理された手袋、手袋に噴霧される組成物、およびフィルムを手袋の内部表面に形成するプロセスに関する。
【００１１】
未処理の手袋、すなわち本発明の組成物で処理されていない手袋は、天然ゴムラテックス、ポリ塩化ビニル、ポリクロロプレンゴム、ポリイソプレンゴム、ブチルゴム、アクリロニトリルブタジエンゴム（ＮＢＲ）、カルボキシル化ニトリル（carboxylated nitrile）、ポリウレタンゴム、ポリアクリレート、スチレン−ブタジエンゴムのラテックスおよび天然ゴムラテックスと合成ラテックスとの混合物から作られる。
【００１２】
好ましい未処理の手袋は、加熱した型（former）をパウダーフリー凝固剤（Powder-Free Coagulant (PFC)）に浸すことによって製造される単層手袋である。手袋は次いでオーブンにて部分的に乾燥され、その後、単ラテックス浸漬が行われる。単ラテックス層は手袋型の上に形成される。
【００１３】
水、グリセロールおよび植物抽出物の組み合わせを含有する本発明の組成物が、使い捨て手袋の表面に適用された場合に吸湿性を有するということがわかってきている。組成物の吸湿性は、組成物を回転乾燥機で乾燥中に未処理の手袋に噴霧した場合に、水分を保持する処理された手袋表面に関与している。手袋の処理された表面に保持されている水分の量は、３０〜９０ｍｇ／手袋であり、好ましくは１手袋につき約６０ｍｇである。
【００１４】
水は、本発明の組成物中に、組成物の全体重量に基づいて、約７５〜約９８重量パーセント、好ましくは約８５〜約９５重量パーセントの範囲の量で存在する。
【００１５】
グリセロールはその保湿性のため、化粧品、液体石鹸および菓子類で一般的に用いられている湿潤剤である。多くの植物抽出物がグリセロールに可溶であるが、グリセロールは本発明の組成物中に、植物抽出物を内部手袋表面に結合させて、手袋を着用している間ヒトの皮膚に付着するのに十分な量で存在していなければならない。組成物中のグリセロールの有効量は、組成物の全重量に基づいて、約１〜約１４重量パーセント、好ましくは約１〜約７重量パーセントの範囲である。ゴム手袋重量が７〜１０ｇであるのに対し、グリセロールは内部に約５〜３０ｍｇ、および外部に１０〜４０ｍｇの範囲で存在する。
【００１６】
本発明の組成物中に存在するのに適した植物抽出物としては、カモミール、アロエベラ、ホホバ、アロエバルファデニス（aloe barfadenis）抽出物、トケイソウ抽出物、キュウリ抽出物、ヒレハリソウ葉抽出物、サボンソウ、オフィシナリス抽出物、ミルラ抽出物、ユーカリ抽出物、海藻抽出物およびそれらの組み合わせを挙げることができるが、それらに限定されない。
【００１７】
好ましい植物抽出物はカモミールである。もう１つの好ましい植物抽出物はアロエベラである。より好ましい実施態様は、カモミールとアロエベラとの組み合わせである。植物抽出物は、組成物の全体重量に基づいて、約０．０１〜約２．０重量パーセント、好ましくは約０．０５〜約０．５重量パーセントの量で存在する。
【００１８】
また本発明の組成物は、増粘剤、ブロッキング防止ポリプロピレンワックス、湿潤剤、香料、保存料、およびそれらの組み合わせを含有していてもよい。コーティング増粘剤の機能は、保湿剤混合物の粘性を高め、それにより保湿剤が、回転および乾燥プロセスの間に、手袋表面に均一に残るようにする。
【００１９】
増粘剤としては、カルボキシメチルセルロースおよび多糖（キサンタン）ガム、ヒドロキシエチルセルロース、ポリアクリレート、ポリビニルアルコール、およびそれらの組み合わせが挙げられるが、それらに限定されない。好ましい増粘剤はカルボキシメチルセルロースである。もう１つの好ましい増粘剤はキサンタンガムである。増粘剤は、組成物の全体重量に基づいて、約０．０５〜約０．６重量パーセント、好ましくは約０．１〜約０．３重量パーセントの量で存在する。
【００２０】
ブロッキング防止ワックスは、本発明の組成物の吸湿性からくるあらゆるブロッキング現象を防止するために存在する。ブロッキング防止ワックスとしては、パラフィンワックス、マイクロクリスタリンワックス、ポリプロピレンワックスおよびそれらの組み合わせが挙げられるが、それらに限定されない。好ましいブロッキング防止ワックスはポリプロピレンワックスである。ブロッキング防止ポリプロピレンワックスは、組成物の全体重量に基づいて、約１．０〜約８．０重量パーセント、好ましくは約２〜約５重量パーセントの範囲の量で存在する。
【００２１】
湿潤剤としては、脂肪アルコールエトキシレート、オチルフェノールエトキシレート（othyl phenol ethoxylate）、ノニルフェノールエトキシレート、アルキル硫酸ナトリウム、硫酸化メチルオレエート、およびそれらの組み合わせが挙げられるが、それらに限定されない。好ましい湿潤剤は脂肪アルコールエトキシレートまたはノニルフェノールエトキシレートである。湿潤剤は、組成物の全体重量に基づいて、約０．１〜約１．０重量パーセント、好ましくは約０．３〜約０．９重量パーセントの範囲の量で存在する。
【００２２】
保存料としては、クエン酸、安息香酸ナトリウム、ソルビン酸カリウム、メチルパラベン、亜硫酸ナトリウム、およびメタ重亜硫酸ナトリウム、ならびにそれらの組み合わせが挙げられるが、それらに限定されない。
【００２３】
好ましい保存料はクエン酸および安息香酸ナトリウムである。保存料は、組成物の全体重量に基づいて、約０．０１〜約０．５重量パーセント、好ましくは約０．０５〜約０．２重量パーセントの範囲の量で存在する。
【００２４】
香料としては、バニラ、ライラック、ジャスミン、バラ、レモンフローラル、いちご、クチナシ、りんごスパイス、バナナ、かぼちゃスパイス、カーネーション、ハニーキウイ、タンジェリン、マンダリン、ペパーメント、マンゴー、すみれ、イランイラン、カシス、ベルガモット、グレープフルーツ、ローズマリー、前述の香料の組み合わせ、および全種類のニベア（Nivea）香料が挙げられるが、それらに限定されない。
【００２５】
好ましい香料はニベアの香りである。香料は、組成物の全体重量に基づいて、約０．５〜約１０重量パーセント、好ましくは約２〜約８重量パーセントの範囲の量で存在する。
【００２６】
本発明のもう１つの実施態様は、本発明の保湿組成物を含有するフィルムを手袋の内部表面に適用する方法に関する。機械の外で（ex-machine）硬化した（cured）手袋を、初めに回転洗浄器にて、以下のパラメーターに従い、全部で２サイクル洗浄する。
【００２７】
【表１】
0004526952.tif 000002
【００２８】
硬化した手袋を洗浄した後、濡れた手袋をＡＭＢＩＴＭ／challenger乾燥機（Texchine Incorporated,米国より購入可能）またはＣＯＳＭＯＳ乾燥機（ＣＯＳＭＯＳ Engineering,マレーシアより購入可能）にて、約４０〜約７０℃、好ましくは約４８°〜約５５℃の範囲の温度で、約１０〜約５０分間、部分的に乾燥させる。手袋が部分的に湿っており、まだ乾燥中の間に、本発明の保湿組成物の水溶液を乾燥機の中へ噴霧する。乾燥機の中へ噴霧する保湿溶液の量は、末端使用者が必要とする保湿効果によって、手袋の１試料につき１８リットルから３６リットルの間である。手袋の１試料は約１４，０００個含有している。最適保湿効果のため、保湿溶液の好ましい量は３６リットルである。
【００２９】
シリコーンエマルジョンを、保湿溶液とともに乾燥機の中へ噴霧してもよい。これにより、手袋の外部表面がシリコーンで覆われる。シリコーンは、手袋がブロックしないよう、また手袋の外部表面がべたつかないようにすることを確実にするために用いる。好ましいシリコーンエマルジョンはシリコーンＬＥ４５である。シリコーンエマルジョンは、保湿組成物の全体重量に基づいて、約０．５〜約４．０重量パーセント、好ましくは約１．０〜約２．０重量パーセントの範囲の量で存在する。
【００３０】
手袋をさらに約４８°〜約５２℃の温度でもう３〜５時間乾燥する。手袋の表面に残る保湿組成物の量は、約０．１〜約２．０ｍｇ／手袋、好ましくは約０．５〜約１．５ｍｇ／手袋の範囲である。手袋のサイズは約サイズ６〜約サイズ８の範囲である。
【００３１】
回転メカニズムによって保湿組成物が手袋をコートし、手袋がまだ部分的に湿っている乾燥初期の段階中に手袋の内側に入り込む。手袋上の水は担体および潤滑媒体の両方として作用する。保湿組成物を噴霧した後にさらに乾燥することにより、全てではないが幾分かの水が蒸発し、湿性コーティング製剤を、処理した手袋の表面上に残す。
【実施例】
【００３２】
以下の実施例で本発明をさらに説明するが、当然ながら、これらは本発明の範疇を決して制限するものと解釈されるべきものではない。
【００３３】
比較例１
標準ＰＦＣ手袋（Ansell (Kedah) Sdn Bhd, Kulim Industrial Estate, Kulim, Kedah, マレーシアより購入可能）の含水量を以下の方法に従って測定した。個々の試料はサイズ８の手袋を１０個含有している。１０個の手袋の重さを量り、オーブンで１００℃にて３０分乾燥させ、乾燥後重さを量った。含水量を、乾燥前の試料の重さから乾燥後の試料の重さを引くことによって計算した乾燥中に失われた水の重さに基づいて計算した。乾燥により失われた水のパーセンテージは以下の式によるパーセンテージとして計算した：
【００３４】
【数１】
0004526952.tif 000003
【００３５】
結果を表１に示す。重量はすべてグラムで表されている。
【００３６】
【表２】
0004526952.tif 000004
【００３７】
この比較例が示すように、乾燥後の手袋の重さは乾燥前の手袋の重さよりも軽く、これは未処理の標準ＰＦＣ手袋が少量の水分を含有していることを示している。
【００３８】
実施例２
本発明の保湿組成物の完全な（full strength）混合物を含有する手袋の含水量を以下の方法で測定した。保湿組成物は下の表２にリストした成分を混合することにより調製した。
【００３９】
【表３】
0004526952.tif 000005
【００４０】
機械の外で硬化した手袋（１４，０００個のサイズ７手袋）を回転洗浄器にて、以下のパラメーターに従い、全体で２サイクル洗浄した。
【表４】
0004526952.tif 000006
【００４１】
次いで洗浄した手袋をＡＭＢＩＴＭ乾燥機中で約５０°〜約５５℃の範囲の温度で、周囲圧力にて乾燥した。前記保湿組成物の完全な混合物（体積１８リットル）を、１試料の手袋（約１４，０００個のサイズ７の手袋）を約２５分間乾燥させた後に、乾燥機中に噴霧した。手袋をさらに約３時間乾燥した。
次いで処理した手袋の重さを量り、オーブンで１００℃にて３０分乾燥させ、乾燥後重さを量った。比較例１と同様、個々の試料は１０個の手袋を含有していた。含水量を比較例１と同じ方法で計算した。結果を以下の表３に示す。重さはグラムで表されている。
【００４２】
【表５】
0004526952.tif 000007
【００４３】
表２は、完全な組成物を含有する手袋が標準ＰＦＣ手袋(比較例１)よりも顕著に多い水分量を含有している（失われた水のパーセンテージに示されるように）ことを示している。
【００４４】
実施例３
実施例２を、５０％の保湿組成物を用いた以外繰り返した。混合物の体積は同じ（すなわち１８リットル）であったが、実施例２の保湿組成物を水で５０／５０に希釈した。
結果を表４に示す。重さはグラムで表されている。
【表６】
0004526952.tif 000008
【００４５】
表４は、５０％の保湿溶液が手袋に噴霧されている場合でも、処理した手袋における水分の量は標準ＰＦＣ未処理手袋(比較例１)の２倍であることを示す。
【００４６】
実施例４
本実施例は、手袋の内部表面上のフィルムとしての本発明の組成物の被覆率、および乾燥プロセス後、手袋上に残っている保湿剤のパーセンテージを示す。測定のため、ソーダ灰（炭酸ナトリウム）を３６リットル（試験１）および１８リットル(試験２)の保湿溶液に、保湿溶液１リットルにつき２００グラムの濃度で導入した。次いでソーダ灰を有する保湿溶液を、乾燥プロセスの最中に、手袋の試料（１４，０００個のサイズ７の手袋）を含有する乾燥機中へ噴霧した。
それぞれ４個の濡れた手袋からなる２セットの試験試料を、１５分回転させた後、乾燥機から取り出した。それぞれ４個の乾燥手袋からなるもう２セットの試験試料を乾燥プロセスが完了した後に乾燥機から取り出した。１セットの試料を手袋の全表面の抽出について調べ、別のセットを内部表面のみの抽出について調べた。それぞれの手袋を１００ｍｌの脱イオン水で抽出した。結果を４つの手袋の平均値で表す。
手袋上のソーダ灰の量を以下の滴定によって決定した。手袋を結んで、１００ｍｌの脱イオン水を含有する抽出瓶中に置いた。抽出瓶をオーバーヘッドミキサーに固定し、約３０分間振動した。抽出物を２５０ｍｌ三角フラスコに入れた。フェノールフタレインを３滴抽出物へ加えた。０．１ＭのＨＣｌをピンク色が消えるまで加えた。これが終点である。結果を表５に示す。
【００４７】
【表７】
0004526952.tif 000009
【００４８】
この結果は回転乾燥機に適用した全部の保湿剤のうち、約三分の一の保湿剤混合物が、乾燥プロセスが完了した後手袋上に残っていたことを示す。手袋の内側の保湿剤混合物の被覆率は、外部表面とほぼ同じ、すなわちそれぞれの面で５０％である。また、結果は保湿剤混合物が指の先端エリアの内側／内部まで届くことができたことを示している。
【００４９】
実施例５
保湿効果は以下のハンドタッチ評価方法を用いて判断した。合計８人の被験者が、５０％の保湿溶液および完全な保湿溶液から作られた異なるサブロットからの手袋を試験した。被験者は両手を洗浄し、冷水ですすぎ、そして乾燥した。手をさらに空気中で30秒間振ることによって空気乾燥した。次いで処理した手袋を手につけ、10分間暖めた。次いで被験者に保湿効果および手袋の香りの評価を以下の番号を用いて尋ねた。
１＝保湿効果なし／ニベアの香りなし
２＝保湿効果が感知できた／ニベアの香りがよくした
３＝良好な保湿効果／ニベアの香りが非常によくした
結果を表６および７に示す。
【００５０】
【表８】
0004526952.tif 000010
【００５１】
【表９】
0004526952.tif 000011
【００５２】
表６および７に示したように、完全な保湿溶液で処理された手袋は良好な保湿効果を有していると評価された。５０％保湿溶液でしか処理されていない手袋ですら、保湿効果が感知できたと評価された。
【００５３】
本明細書に他に記述がないか又は文脈に明らかに矛盾していない限り、本発明を表す文脈における用語「a」、「an」、「the」および類似表現の使用は（特に以下の特許請求の範囲中の文脈において）、単数および複数の両方を包含していると解釈されるものとする。本明細書における値の範囲の列挙は、本明細書に他に記述がない限り、範囲内に含まれるそれぞれ個々の値を個別に言及する簡略な方法として働くことを単に意図されたもので、それぞれ個々の値は個別に本明細書中に記述されたものの如く本明細書中に包含される。本明細書中他に記述がないか、又は文脈に明らかに矛盾していない限り、本明細書中に記載した全ての方法はどんな適当な順序でも行われうる。本明細書中に出されたいずれのそして全ての実施例、又は例示的な言葉（例えば「〜のような（such as）」）の使用は、単に発明をより明解にするよう意図したものであり、他に主張がない限り、本発明の範囲に制限をもたらすようなものではない。明細書中のどの言葉も、未請求の任意の要素を本発明の実施に必須であると示唆していると解釈されるべきではない。
【００５４】
本発明の好ましい実施態様を本明細書に記載し、それには本発明者らが知る本発明を実施するための最良の態様が含まれている。当然に、それらの好ましい実施態様の改変は、前述の説明を読むことによって当業者に明らかになるだろう。本発明者らは当業者がそのような改変を適切に使用することを予期し、さらに本発明が本明細書に具体的に記載した以外の方法で実施されることを意図している。したがって本発明は、適用法で許可されている通り、ここに添付する特許請求の範囲において言及した主題の全ての変更や等価物を含む。さらには、本明細書中に他に記述がないか、又は文脈に明らかに矛盾していない限り、上述の要素のいかなる組み合わせもそれらの全ての可能な改変において、本発明によって包含されている。
【図面の簡単な説明】
【００５５】
【図１】図１は、洗浄された後、回転乾燥機で乾燥されている湿った手袋を表している。
【図２】図２は、手袋を乾燥中に、保湿剤混合物を回転乾燥機中へ噴霧しているところを示している。
【図３】図３は、保湿剤混合物を継続して噴霧しているところ、および回転乾燥機中で手袋を回転しているところを表している。
【図４】図４は、手袋の乾燥プロセスを示している。
【図１】
0004526952.tif 000012
【図２】
0004526952.tif 000013
【図３】
0004526952.tif 000014
【図４】
0004526952.tif 000015